(57)【要約】【課題】  メインメニューを横方向に配して、色またはサイズの違いを用いてメニュー間の識別力を高める映像撮影装置が開示される。【解決手段】  本発明の映像撮影装置は、複数のメニューをそれぞれ相違する色のＯＳＤで生成するＯＳＤ生成部と、メニューのリストを画面上に表示するディスプレー部と、リスト上に選択された第１メニューに属する下位メニューであるリストを第１メニューと同じ色のＯＳＤで表示するようにＯＳＤ生成部およびディスプレー部を制御する制御部とを含む。これによって、選択されたメニューおよびそれに属する回メニューを同じ色に表すことによりメニュー間の識別力を高めることができる。【選択図】      図２
2005260960.tif 000002
【特許請求の範囲】
【請求項１】
動画および静止画を選択的に撮影する複合撮影装置であって、
複数のメニューをそれぞれ相違する色のＯＳＤで生成するＯＳＤ生成部と、
前記メニューのリストを画面上に表示するディスプレー部と、
前記リスト上に選択された第１メニューに属する下位メニューであるリストを前記第１メニューと同じ色のＯＳＤで表示するように前記ＯＳＤ生成部および前記ディスプレー部を制御する制御部とを含むことを特徴とする複合撮影装置。
【請求項２】
前記制御部は、前記リストを前記画面上の上端に横方向に並ぶよう前記ＯＳＤ生成部および前記ディスプレー部を制御することを特徴とする請求項１に記載の複合撮影装置。
【請求項３】
前記制御部は、前記リスト上で選択された第１メニューを拡大表示するよう前記ＯＳＤ生成部および前記ディスプレー部を制御することを特徴とする請求項２に記載の複合撮影装置。
【請求項４】
前記制御部は、外部選択信号によって前記画面上に表示される前記リストを左右方向にスクロールし、前記画面上の特定位置に表示される所定メニューが前記選択された第１メニューであると判断することを特徴とする請求項３に記載の複合撮影装置。
【請求項５】
複数のメニューをそれぞれ相違している色のＯＳＤで生成するＯＳＤ生成部と、
前記メニューのリストを画面上に表示するディスプレー部と、
前記リスト上で選択された第１メニューに属する下位メニューのリストを前記第１メニューと同じ色のＯＳＤに表示するよう前記ＯＳＤ生成部および前記ディスプレー部を制御する制御部とを含むことを特徴とする映像撮影装置。
【請求項６】
前記制御部は、前記メニューのリストを画面の上端に横方向に並ぶよう前記ＯＳＤ生成部および前記ディスプレー部を制御することを特徴とする請求項５に記載の映像撮影装置。
【請求項７】
前記制御部は、外部選択信号によって前記リストを左右方向にスクロールするよう前記ＯＳＤ生成部および前記ディスプレー部を制御することを特徴とする請求項６に記載の映像撮影装置。
【請求項８】
前記制御部は、前記リスト上で選択された第１メニューのＯＳＤを拡大表示するよう前記ＯＳＤ生成部および前記ディスプレー部を制御することを特徴とする請求項７に記載の映像撮影装置。
【請求項９】
動画および静止画を選択的に撮影する複合撮影装置のメニュー表示方法であって、
複数のメニューをそれぞれ相違している色のＯＳＤで生成するステップと、
前記メニューのリストを画面上端に横方向に並ぶステップと、
前記メニューのうち選択された第１メニューに属する下位メニューのリストを前記第１メニューと同じ色のＯＳＤに画面へ並ぶステップとを含むことを特徴とするメニュー表示方法。
【請求項１０】
前記選択された第１メニューを拡大表示するステップを更に含むことを特徴とする請求項９に記載のメニュー表示方法。
【請求項１１】
外部選択信号によって前記リストを左右方向にスクロールするステップと、
前記画面上で特定位置に表示される所定のメニューを前記第１メニューとして判断するステップとを更に含むことを特徴とする請求項１０に記載のメニュー表示方法。
【発明の詳細な説明】
【技術分野】
【０００１】
本発明は、映像撮影機器に関し、詳細にはＯＳＤ（オンスクリーンディスプレイ）形態で表示される自体メニューのうち選択されたメニューのサイズを変更し、選択されたメニューの下位メニューも同一色で表示することによってメニュー間の識別力を高めることのできる映像撮影機器およびその方法に関する。
【背景技術】
【０００２】
電子技術の発展に伴い、様々な分野で超小型、超軽量の電子製品が開発かつ普及されている。代表的にデジタルカメラやデジタルカムコーダーが挙げられる。かかるデジタル映像撮影装置は、既存の光学映像撮影装置よりはるかな機能を備えており、ＬＣＤディスプレー窓を備えて撮影された写真または撮影場面などを簡単に確認することができるためその使用は加速されつつある。
【０００３】
一方、ユーザはこのようなデジタル映像撮影層を使用するに当って、メニュー機能を用いて自分の好みでデジタル映像撮影装置に備えられた機能を積極的に活用することができる。たとえば、ユーザはカラーまたは白黒のいずれかのモードに撮影するか、撮影する映像の解像度、映像の輝度、シャッターの速度などを自在に設定することができ、予め設定された撮影機器の動作環境を相違に変更することもできる。
【０００４】
係るメニュー機能は、一般にＬＣＤディスプレーＯＳＤ状で表示される。ユーザはＯＳＤ形態で表示されたメニューを方向ボタン、数字ボタンなどを用いて選択することによって映像撮影装置の設定状態が変更できる。
【０００５】
図１Ａおよび図１Ｂはそれぞれ映像撮影装置において従来のＯＳＤメニュー表示状態を示した模式図である。図１Ａに示したように、ディスプレー画面１０の左側部分にメインメニュー１１が一列に整列され、そのうち１つのメニュー（図１Ａでは３．Ｓｅｔ−ＵＰ）にカーソル１５が位置している。一方、画面１０の右側にはカーソル１５が位置したメニュー、すなわち、「３．Ｓｅｔ−Ｕｐ」に属する下位メニュー１３が一列に整列され表示されている。
【０００６】
ユーザは映像撮影装置に備えられた方向ボタンおよび機能設定ボタンなどを用いてメニューを選択的に変更できる。即ち、ユーザはディスプレー画面１０上に表示されたメインメニュー１１上で上下方向ボタンを操作しカーソル１５を移動させることでメインメニュー１１を変更することができる。これによって、画面１０の右側には変更されたメインメニュー１１に属する下位メニュー１３が表示される。ユーザは右側方向のボタンを入力しメインメニュー１１上から下位メニュー１３に移動することができ、設定が終われば左側方向のボタンを入力して再度メインメニュー１１に復帰することができる。機能変更をしようとする下位メニュー１３上で設定ボタンを押すと、下位メニュー１３の機能がＯＮまたはＯＦＦに変更される。
【０００７】
これによって、ユーザは映像撮影装置の機能設定状態を変更することが可能になる。しかし、係る従来のメニュー表示方法によると、メインメニュー１１および下位メニュー１３は識別力がないのでユーザからみれば現に表示された下位メニュー１３とメインメニュー１１との間の連関性が分からない問題がある。さらに、同一な画面１０上にて、左側にはメインメニュー１１、右側には下位メニュー１３を表示するので、下位メニュー１３の設定状態（即ち、該当の下位メニュー１３がＯＮ状態であるかＯＦＦ状態であるか）を表示する空間が足りないという不具合がある。これによって、空間を確保するために各メニューのサイズを小さくする必要があり、ユーザは認識しづらくなる。係る問題は下位メニュー１３へとさらに属する次下位メニュー（図示せず）が存在する場合はもっともである。
【０００８】
図１Ｂは図１Ａとは異なって、メインメニュー１１および下位メニュー１３の区分をなくして、１つのメニュー２１として画面２０の左側に表示し、画面２０の右側には各メニュー２１の設定状態２３が表示される。即ち、図１Ｂに示したように、現の映像撮影装置はカラー撮影であるかを決める「ＣＯＬＯＲ／ＢＷ」メニューでＣＯＬＯＲ，すなわち、カラー撮影モードで選択されており、絞り調節状態を設定する「ＩＲＩＳ」メニューではＡＬＣ（Ａｕｔｏ−ｉｒｉｓ  Ｌｅｖｅｌ  Ｃｏｎｔｒｏｌ）が選択されている。その他、「ＳＨＵＴＴＥＲ」メニューはＡＵＴＯ×８、「ＭＯＴＩＯＮ」メニューはＦ．ＦＡＳＴ、「ＱＵＡＬＩＴＹ」メニューは１０２４×７６８、「ＴＩＭＥＲ」メニューはＯＦＦ状態で設定されている。
【０００９】
ユーザはこのような状態で特定メニューの設定状態を変更しようとする場合、そのメニューにカーソル２５を位置させてから設定ボタンを入力する。図１Ｂに示したように、カーソル２５がＩＲＩＳメニューに位置した場合に設定ボタンを入力すると、現在のＡＬＣ状態でＥＬＣ（Ｅｌｅｃｔｒｏｎｉｃ  Ｌｅｖｅｌ  Ｃｏｎｔｒｏｌ）状態に変わり、ユーザが白黒撮影を願望する場合はカーソル２５をＣＯＬＯＲ／ＢＷに位置させた後、設定ボタンを押してＣＯＬＯＲをＢＷに変更させるなどの操作を行なう。
【００１０】
図１Ｂに示したように、メニュー設定状態が表示できる空間や次下位メニューが表示できる空間などが不足する問題はないものの、図１Ａに示した方法よりメニュー間の識別力がより落ちてしまい、ユーザがメインメニュー２１およびメニュー設定状態２３間の係りを正確に把握できない不具合がある。
【００１１】
特に、最近にはデジタルカメラおよびデジタルカムコーダー機能を備えた複合撮影装置が開発され市販されている。複合撮影装置は、デジタルカメラおよびデジタルカムコーダーそれぞれに比べて設定できるメニューの種類がはるかに多様である。従って、図１Ｂに示したように、各メニューを一々並ばせその設定状態を表示させると、ユーザが複合撮影装置全ての機能を把握するのに困難である。
【００１２】
これによって、ＯＳＤメニュー間の識別力を高め、１つの画面上でメインメニューおよび下位メニューを表示できるようにしたＯＳＤメニュー表示方法の必要性が求められている。
【発明の開示】
【発明が解決しようとする課題】
【００１３】
本発明は前述した問題点を解決するために案出されたもので、本発明の目的は、メインメニューを横方向に配置し、色又はサイズの違いを用いてメニュー間の識別力を高めることのできるＯＳＤメニュー表示方法およびその方法によってメニューを表示する映像撮影装置を提供することにある。
【課題を解決するための手段】
【００１４】
前述した目的を達成するための本発明の一実施の形態に係る映像撮影装置は、複数のメニューをそれぞれ相違する色のＯＳＤで生成するＯＳＤ生成部と、前記メニューのリストを画面上に表示するディスプレー部と、前記リスト上に選択された第１メニューに属する下位メニューであるリストを前記第１メニューと同じ色のＯＳＤで表示するように前記ＯＳＤ生成部および前記ディスプレー部を制御する制御部とを含む。
【００１５】
好ましくは、前記制御部は、前記リストを前記画面上の上端に横方向に並ぶよう前記ＯＳＤ生成部および前記ディスプレー部を制御することができる。
【００１６】
より好適には、前記制御部は、前記リスト上で選択された第１メニューを拡大表示するよう前記ＯＳＤ生成部および前記ディスプレー部を制御することができる。
【００１７】
一方、前記制御部は、外部選択信号によって前記画面上に表示される前記リストを左右方向にスクロールし、前記画面上の特定位置に表示される所定メニューが前記選択された第１メニューであると判断することができる。
【００１８】
本発明の他の実施の形態によると、カメラレンズおよびカムコーダーレンズをそれぞれ備えて動画および静止画を選択的に撮影することのできる複合撮影装置も複数のメニューをそれぞれ相違している色のＯＳＤで生成するＯＳＤ生成部と、前記メニューのリストを画面上端に横方向に表示し、前記リスト上で選択された第１メニューのサイズを拡大し表示するディスプレー部と、前記選択された第１メニューに属する下位メニューのリストを前記第１メニューと同じ色のＯＳＤに表示するよう前記ＯＳＤ生成部および前記ディスプレー部を制御する制御部とを含む。これにより、画面上で表示されるメニュー間の識別力を高めることができる。
【００１９】
一方、本発明に係るメニュー表示方法は、複数のメニューをそれぞれ相違している色のＯＳＤで生成するステップと、前記メニューのリストを画面上端に横方向に並ぶステップと、前記メニューのうち選択された第１メニューに属する下位メニューのリストを前記第１メニューと同じ色のＯＳＤに画面へ並ぶステップとを含む。
【００２０】
この場合、前記選択された第１メニューを拡大表示するステップを更に含むことが好ましい。
【００２１】
より好適には、外部選択信号によって前記リストを左右方向にスクロールするステップと、前記画面上で特定位置に表示される所定のメニューを前記第１メニューとして判断するステップとを更に含むことができる。
【発明の効果】
【００２２】
本発明によると、映像撮影装置そのものの機能を変更することのできるメニューを表示することにあたって、画面の上端に横方向に並べた後、方向ボタンを用いてスクロールしユーザのメニュー選択をより容易にすることができる。さらに、色の異なるＯＳＤで各メニューを生成し、メニューのうち選択されたメニューに属する下位メニューを選択されたメニューの色と同一ＯＳＤで表すことによって、メニュー間の識別力を高めることができる。一方、選択されたメニューのＯＳＤサイズを拡大することによって、選択されていない他のメニューとの識別を可能にする。
【発明を実施するための最良の形態】
【００２３】
以下、添付の図面を参照して本発明の好適な実施例を詳述する。
【実施例】
【００２４】
図２は本発明の一実施の形態に係る映像撮影装置１００の構成を示したブロック図である。同図によると、本映像撮影装置１００は、制御部１１０、ＯＳＤ生成部１２０、ディスプレー部１３０、入力部１４０、カメラ部１５０および信号処理部１６０を含んでいる。
【００２５】
ユーザが入力部１４０を用いて撮影信号を入力すると、制御部１１０はカメラ部１５０を制御し被写体を撮影する。撮像されたデータは信号処理部１６０で処理しメモリカードやＶＣＲテープなどの格納媒体に記録する。一方、制御部１１０は撮像されたデータをディスプレー部１３０を用いて画面上に表示することによって、ユーザが確認できるようになる。
【００２６】
ディスプレー部１３０は撮影された動画または静止画を画面上に表示することができる。これによって、ユーザはディスプレー部１３０上に表示される静止画または動画を確認し、映像撮影装置１００の設定状態を変更しようとすると、入力部１４０を操作して備えられたメニューを画面に表示する。
【００２７】
すなわち、入力部１４０を介してメニュー表示命令が入力されれば、制御部１１０はＯＳＤ生成部１２０を制御して設定可能なメニューリストをＯＳＤ形態でディスプレー部１３０を介して表示する。
【００２８】
なお、ＯＳＤ生成部１２０は表示される各メニューのＯＳＤ色を相異なるように生成する。制御部１３０は画面上に表示されるメニューのうち選択されたメニューについて属する下位メニューも共に表示する。この場合、メニューリストそのものをスクロール（ｓｃｒｏｌｌ）して各メニューの位置を変更することによって特定位置に表示されたメニューが選択されたことと判断する。または、メニューリスト上に別のカーソルを表示することによって、ユーザがカーソルを移動させメニューを選択することも可能である。
【００２９】
以上のような方式で制御部１３０は所定のメニューが選択されたと判断されれば、そのメニューに属する下位メニューも画面上に表示する。この場合、下位メニューは選択されたメニューと同一色のＯＳＤで表示する。即ち、ＯＳＤで表示される下位メニューのタイトルそのものの色を同一にするか、または下位メニューが表示されるインタフェース窓の背景色を同一にすることができる。これによって、現在画面上に表示される下位メニューと選択されたメニューとが係わっていることを表示できるようになる。
【００３０】
一方、選択されたメニューのＯＳＤサイズを他のＯＳＤメニューより大きく表示することにより、現在どのメニューが選択されたかが容易に認識できる。
【００３１】
図３Ａおよび図３Ｂは本発明の一実施の形態に係る映像撮影装置であって、ディスプレー部１３０上に表示されるＯＳＤメニューの形態を示した模式図である。
【００３２】
図３Ａに示したように、メニューリスト１３１は画面上端に横方向に並べられる。メニューの種類は映像撮影装置の種類によって異なってくる。即ち、デジタルカメラの場合は、Ｅｒａｓｅ、Ｔｉｍｅｒなどのメニューがメインメニューに含まれることができ、デジタルカムコーダーの場合は手振れ補正、自動フォーカス、デジタル効果（モザイク処理、メイクアップ効果）などを選択するメニューがメニューリスト１３１に含まれ得る。メニューリスト１３１に含まれた各メニューはその特性を示すタイトルやアイコン状で示すことができる。
【００３３】
一方、図３Ａに示したように、横方向に並んだメニューリスト１３１のうち中央に位置したメニューのＯＳＤサイズを拡大し、そのメニューに属する下位メニューリスト１３３をメニューリスト１３１の下端に表示する。各メニューはそれぞれ他の色で表示される。さらに、選択されたメニューに属する下位メニューリスト１３３を表示するインタフェース窓の背景色も選択されたメニューと同一にすることによって、他のメニューに属されている下位メニューと差別化できる。
【００３４】
ユーザは入力部１４０に備えられた左右方向ボタンを用いてメニューリスト１３１を左右方向にスクロール（ｓｃｒｏｌｌ）して中央に位置するメニューの種類を変えることができる。
【００３５】
図３Ｂは現在「Ｓｅｔ−ＵＰ」メニューが中央に位置した状態で右側方向ボタンが入力された場合の表示状態を示した模式図である。同図によると、制御部１１０はＯＳＤ生成部１２０を制御し「Ｓｅｔ−Ｕｐ」メニューのサイズを他のメニューと同一サイズに縮小させてから左側に移動させ、「Ｅｒａｓｅ」メニューを画面の中央に配させる。この場合、左右方向ボタンの入力によるスクロール方向はユーザの便宜を考えて設定できる。即ち、ユーザは図３Ａに示した画面上で右側メニューを選択しようとすると右側ボタンを押すことが一般的であるので、メニューリストは左側に移動させなければならない。
【００３６】
なお、「Ｅｒａｓｅ」メニューのサイズは前に「Ｓｅｔ−Ｕｐ」メニューの同一なサイズに拡大し「Ｅｒａｓｅ」メニューの下位メニュー１３３である「（１）Ｅｒａｓｅ、（２）Ｅｒａｓｅ  Ａｌｌ、（３）Ｃａｎｃｅｌ」などが表示される。この場合下位メニュー１３３のタイトルまたは背景窓の色を「Ｅｒａｓｅ」メニューと同じくすることによって「Ｅｒａｓｅ」メニューに属する下位メニューであることを確実に認識させ得る。
【００３７】
一方、図４は本発明の他の実施形態であって、デジタルカムコーダーおよびデジタルカメラの機能を備えた複合撮影装置２００の構成を示したブロック図である。同図に示したように、本複合撮影装置はＤＶＣ（デジタルビデオカメラ）モジュール２１０、ＤＳＣ（デジタルスチルカメラ）モジュール２２０、制御部２３０、映像信号処理部２４０、およびＯＳＤ生成部２５０、ディスプレー部２６０、ＶＣＲ部（ビデオカセットレコーダ）２７０、メモリカード２７５、システムバス２８０および入力部２９０を含んでいる。
【００３８】
ＤＶＣモジュール２１０は、レンズを介して入射される光信号を電気信号に光電変換し、変換された信号に対して所定の信号処理を行う。ＤＶＣモジュール２１０は動画と静止画すべてが撮像可能であるが、ＤＶＣモジュール２１０で撮像した静止画は後述するＤＳＣモジュール２２０で撮像した静止画に比べて画質が落ちる。従って、ＤＶＣモジュール２１０は主に動画を撮影するのに使用される。ＤＶＣモジュール２１０はＤＶＣレンズ部２１１、ＤＶＣレンズ駆動部２１９、ＤＶＣ  ＣＣＤ２１３、ＤＶＣ  ＣＤＳ／ＡＧＣ／ＡＤＣ（Ｃｏｒｒｅｌａｔｅｄ  Ｄｏｕｂｌｅ  Ｓａｍｐｌｅｒ／Ａｕｔｏ  Ｇａｉｎ  Ｃｏｎｔｒｏｌｌｅｒ／Ａｎａｌｏｇ−ｔｏ‐Ｄｉｇｉｔａｌ  ｃｏｎｖｅｒｔｅｒ）２１５およびＤＶＣ信号処理部２１７を備える。
【００３９】
ＤＶＣレンズ駆動部２１９は制御部２３０の制御によって、ＤＶＣレンズ部２１１をズームーイン／ズームアウトさせて焦点を自動に調節し、ＤＶＣレンズ部２１１に備えられた絞り（図示せず）の開閉量を調節するなどの動作を行う。
【００４０】
ＤＶＣ  ＣＣＤ２１３はＤＶＣレンズ部２１１を介して入射される光学像を電気信号の方に変換して出力する。
【００４１】
ＤＶＣ  ＣＤＳ／ＡＧＣ／ＡＤＣ２１５はＣＤＳを使用してＤＶＣ  ＣＣＤ２１３から出力される電気信号からノイズを取除き、ＡＧＣを使用して信号のレベルが一定に保たれるよう利得を調整した後、ＡＤＣを用いてデジタル信号に変換する。
【００４２】
ＤＶＣ信号処理部２１７は、ＤＶＣ  ＣＤＳ／ＡＧＣ／ＡＤＣ２１５から出力されたデジタル信号に対して輝度（Ｙ）信号とクロミナンス（Ｃ）信号とを分離し、利得調整、輪郭補正、およびＡＷＢ（自動白バランス）などの処理動作を行う。
【００４３】
一方、ＤＳＣモジュール２２０はレンズを介して入射される光信号を電気信号に光転換し、変換された信号について所定の信号処理過程を行う。ＤＳＣモジュール２２０も動画と静止画全ての撮像が可能である。しかし、ＤＳＣモジュール２１０で撮像した動画のデータ容量は前述のＤＶＣモジュール２１０で撮像した動画のデータ容量がはるかに大きい。その結果、動画データを記録媒体に記録する際に格納空間が所要されるので、長時間動画撮影はできない。従って、ＤＳＣモジュール２２０は主に静止画を撮影するのに用いられる。
【００４４】
ＤＳＣモジュール２２０は、ＤＳＣレンズ部２２２、ＤＳＣレンズ駆動部２２１、ＤＳＣ  ＣＣＤ２２３、およびＤＳＣ  ＣＤＳ／ＡＧＣ／ＡＤＣ２２４、ＤＳＣ信号処理部２２５、ＤＳＣ  ＣＯＤＥＣ（コーダ／デコーダ）２２６およびＤＳＣ制御部２２７を含む。
【００４５】
ＤＳＣ制御部２２７は、制御部２３０と通信し、ＤＳＣレンズ駆動部２２１、ＤＳＣ信号処理部２２５、ＤＳＣ  ＣＯＤＥＣ２２６の動作を制御する。
【００４６】
ＤＳＣレンズ駆動部２２１は、ＤＳＣ制御部２２７の制御により、ＤＳＣレンズ部２２２を駆動させる。詳細に、ＤＳＣレンズ駆動部２２１はＤＳＣレンズ部２２２をズームイン／ズームアウトさせて焦点を自動調節し、ＤＳＣレンズ部２２２に備えられた絞り（図示せず）の開閉量を調節する。
【００４７】
一方、ＤＳＣ  ＣＣＤ２２３は、ＤＳＣレンズ部２２２を介して入射される光学像を電気信号に変換して出力する。さらに、ＤＳＣ  ＣＤＳ／ＡＧＣ／ＡＤＣ２２４はＤＳＣ  ＣＣＤ２２３から出力される信号からノイズを取除き、信号レベルが一定に保たれるよう利得を調整してから、デジタル信号に変換出力する。ＤＳＣ信号処理部２２５は、ＤＳＣモジュール２２０から出力される信号に対して輝度（Ｙ）信号とクロミナンス（Ｃ）信号とを分離し、利得調整、輪郭補正、およびＡＷＢを行う。
【００４８】
ＤＳＣ  ＣＯＤＥＣ２２６は、ＤＳＣ信号処理部２２５の出力信号を所定フォーマットの信号に圧縮した後、システムバス２８０を用いて映像信号処理部２４０に印加する。なお、圧縮方式としてはＪＰＥＧフォーマットなどが適用される。
【００４９】
一方、映像信号処理部２４０は、撮影される映像を記録媒体に記録したり、記録媒体に記録された映像を再生する役割をする。
【００５０】
即ち、複合撮影装置２００がＤＶＣ撮影モードとして動作する場合、映像信号処理部２４０はＤＶフォーマットやＭＰＥＧフォーマットなどで映像信号を圧縮することができる。さらに、映像信号処理部２４０はマイク（図示せず）から出力される音声信号をデジタル信号に変換し、変換された信号をＰＣＭフォーマットやＧ．７２６フォーマットの信号に圧縮できる。圧縮された信号は制御部２３０の制御により、ＶＣＲ部２７０やメモリカード２７５に記録する。ＶＣＲ部２７０はＶＣＲデッキ（図示せず）に装着されるＶＣＲテープに撮影された映像信号を記録する。
【００５１】
複合撮影装置２００がＤＳＣ撮影モードとして動作する場合、映像信号処理部２４０はＤＳＣモジュール２２０から撮像されＤＳＣ信号処理部２２５で信号処理された映像信号をディスプレー部２６０を介して画面上に表示する。さらに、映像信号処理部２４０はＤＳＣ  ＣＯＤＥＣ２２６から印加された記録対象となる圧縮された信号を制御部２３０の制御により、メモリカード２７５に記録する。
【００５２】
再生モードとして動作する場合、映像信号処理部２４０はＶＣＲ部２７０やメモリカード２７５に記録された圧縮された映像信号を伸張してディスプレー部２６０に印加し撮影された動画または静止画が画面上に再生されるように行う。
【００５３】
一方、制御部２３０は、ユーザが入力部２９０を介してメニュー設定のための操作信号を入力すれば、ＯＳＤ生成部２５０およびディスプレー部２６０を制御してユーザが選択可能なメニューをＯＳＤ状で画面に示すよう行う。なお、複合撮影装置２００は既存のデジタルカムコーダーとデジタルカメラの機能とが組合されたものであって、ＤＶＣ撮影モード、ＤＳＣ撮影モード、ＤＶＣ再生モード、およびＤＳＣ再生モードといった様々なモード状態に動作するので、そのメニューの個数は増加する。
【００５４】
これにより、制御部２３０は現在モード状態で設定可能なメニューのみをＯＳＤに表示させ得る。さらに、制御部２３０はいずれのモード状態であっても表示されるメニューの種類を統一させ、現在モード状態で選択可能なメニューのみを発生かさせ、他のメニューは非活性化させるよう動作することができる。係る制御部２３０の動作はユーザの便宜を考えて複合撮影装置２００の製造者が決めることができる。
【００５５】
一方、制御部２３０は複数のメニューを画面上で一方向に並べることで、ユーザはどのメニューが存するかを認識できるようになる。この場合、画面の左側へ縦方向に並ぶこともできるものの、小さなＬＣＤ画面上において下位メニューおよびメニュー設定状態を表示させるためには、画面の上端に横方向で並べることが好ましい。
【００５６】
ユーザは入力部２９０に備えられた方向ボタンを操作し並んだメニューをスクロールすることができ、制御部２３０は画面上の特定位置、即ち、図３Ａおよび図３Ｂに示したように、画面上端の中央部に表示されるメニューが選択されたメニューとして認識するようになる。これによって、制御部２３０はＯＳＤ生成部２５０およびディスプレー部２６０を制御し、選択されたメニューのＯＳＤサイズを他のメニューより大きく表示すると同時に、選択されたメニューに属する下位メニューを下端に並ばせる。
【００５７】
この場合、ＯＳＤ生成部２５０は画面上に表示される各メニューのＯＳＤ色を相違に生成することができ、各メニューに属する下位メニューの色をそのメニューの色と一致させることにより、当該のメニューに属していることをユーザに認識させることもできる。
【００５８】
ユーザは入力部２９０に備えられた上下方向ボタンを操作して、選択しようとする下位メニューにカーソルを位置させた後、選択ボタンを入力して願望する機能を設定できる。
【００５９】
図５は図４に示した複合撮影装置におけるＯＳＤメニュー表示方法を説明するためのフローチャートである。まず、ユーザが入力部２３０を介してメニュー選択のための操作信号を入力すれば（Ｓ５１０）、制御部２３０はＯＳＤ生成部２５０およびディスプレー部２６０を制御して複数のメニューをＯＳＤ状で画面上に表示する（Ｓ５２０）。この場合、画面の上端に横方向に並ぶことが好ましく、各メニューはタイトルそのものとして表示することもできるが、そのメニューの特徴をよく示すアイコン形態で表示することもできる。
【００６０】
一方、制御部２３０は画面上の特定位置（図３Ａおよび図３Ｂに示したよう画面上端の中央）に表示される第１メニューが選択されたことと認識して第１メニューのＯＳＤサイズを拡大する（Ｓ５３０）。
【００６１】
この場合、制御部２３０は各メニューのＯＳＤ色と相違にし、選択された第１メニューに属する下位メニューのＯＳＤ色を第１メニューと一致させることにより、メニュー間の識別力を高める（Ｓ５４０）。
【００６２】
一方、ユーザが左右ボタンを入力し画面上端に並んだメニューをスクロールする場合（Ｓ５５０）、第１メニューの種類が変わってしまうので、変わったメニューについて再度サイズを拡大し、下位メニューを表示する。
【００６３】
これにより、ユーザは簡単な操作で選択可能なメニューを確認することができ、下位メニューが表示されるときその下位メニューが属している上位メニューについても容易に認識できる。
【００６４】
以上、図面を参照して本発明の好適な実施形態を図示および説明してきたが本発明の保護範囲は、前述の実施形態に限定するものではなく、特許請求の範囲に記載された発明とその均等物にまで及ぶものである。
【産業上の利用可能性】
【００６５】
本発明に係るメニュー表示方法はデジタルカムコーダーやデジタルカメラのような一般の映像撮影装置、動画および静止画を選択的に撮影する複合撮影装置に適用され得る。
【図面の簡単な説明】
【００６６】
【図１Ａ】従来の映像撮影機器においてＯＳＤメニューを表示する形態を示した模式図である。
【図１Ｂ】従来の映像撮影機器においてＯＳＤメニューを表示する形態を示した模式図である。
【図２】本発明の一実施の形態に係る映像撮影機器の構成を示したブロック図である。
【図３Ａ】図２の映像撮影機器で画面上にＯＳＤメニューを表示する形態を示した模式図である。
【図３Ｂ】図２の映像撮影機器で画面上にＯＳＤメニューを表示する形態を示した模式図である。
【図４】本発明の他の実施の形態であって、復号撮影機器の構成を示したブロック図である。
【図５】本発明に係るＯＳＤメニュー表示方法を説明するためのフローチャートである。
【符号の説明】
【００６７】
１１０    制御部
１２０    ＯＳＤ生成部
１３０    ディスプレー部
１４０    入力部
１５０    カメラ部
１６０    信号処理部
【図１Ａ】
2005260960.tif 000003
【図１Ｂ】
2005260960.tif 000004
【図２】
2005260960.tif 000005
【図３Ａ】
2005260960.tif 000006
【図３Ｂ】
2005260960.tif 000007
【図４】
2005260960.tif 000008
【図５】
2005260960.tif 000009